(57)【要約】【課題】被包装物を導入しやすく且つ導入されて保持された被包装物が脱落しにくく、保持された被包装物が回転せず、球状または保持体の厚みよりも太い形態の被包装物を包装することができる包装容器を提供する。【解決手段】包装容器１０は、保持体２０を備える。被包装物Ｍは、輪郭部ＯＬと輪郭中心点ＯＬＣとを有する。輪郭部は、被把持部ＧＲを含む。保持体は、窓部３０が形成されている。窓部は、被包装物の輪郭部と略同一形状の枠３２と窓部中心点３０ｃとを有し、複数のフラップ片３６が、枠または枠近傍に設けられ、フラップ片の第１折線３６ｆ１と窓部中心点３０ｃとの間の長さは、当該フラップ片に把持される被把持部ＧＲと輪郭中心点ＯＬＣとの間の長さに比べて、等しいか長く、第１折線を挟むフラップ片支持部と保持体の部位とが平面化した際の、当該フラップ片の第２折線３６ｆ２と窓部中心点３０ｃとの間の長さは、被把持部ＧＲと輪郭中心点ＯＬＣとの間の長さに比べて、短い。【選択図】図９
2019077478.tif 000002
【特許請求の範囲】
【請求項１】
被包装物を包装するための包装容器であって、
可撓性を有し被包装物を把持ないし支持する保持体を備え、
被包装物は、被包装状態における正面視の形状の輪郭線を形成する輪郭部と、輪郭線の中心点となる輪郭中心点と、を有し、
輪郭部は、保持体の一部に把持される部分である被把持部を含み、
保持体は、被包装物を保持体の内側に導入するための窓部が形成されており、
窓部は、
被包装物の輪郭部と略同一形状の枠と、枠の中心点となる窓部中心点と、を有し、
被包装物の被把持部を把持する複数のフラップ片が、窓部の枠または枠近傍に位置する保持体の複数の部位に設けられ、
複数のフラップ片はそれぞれ、保持体の内側に向かって折れ曲がることを可能とするための平行な第１折線および第２折線と、第１折線を介して窓部の枠または枠近傍の保持体の部位に接続し第１折線と第２折線との間に位置するフラップ片支持部と、フラップ片支持部に第２折線を介して接続し第２折線から窓部中心点側に向いて延びるフラップ片本体部と、を有し、
それぞれのフラップ片の第１折線と窓部中心点との間の長さは、当該フラップ片に把持される被把持部と輪郭中心点との間の長さに比べて、等しいか長く、
それぞれのフラップ片の第１折線を挟むフラップ片支持部と保持体の部位とが平面化した際の、当該フラップ片の第２折線と窓部中心点との間の長さは、当該フラップ片に把持される被把持部と輪郭中心点との間の長さに比べて、短いことを特徴とする、
包装容器。
【請求項２】
熱収縮により被包装物を包むシュリンクフィルムを更に備え、
シュリンクフィルムは、いずれか１つのフラップ片のフラップ片本体部に接着され、
シュリンクフィルムに包まれた被包装物は、保持体の内側で、複数のフラップ片によって支持ないし把持されることを特徴とする、請求項１に記載の包装容器。
【請求項３】
保持体は、
略板状の前部と、前部に対応する形状を有する略板状の背部とを含み、
前部と背部とが、対向するように配設され、
前部又は背部に、窓部が形成され、
窓部は、窓部の枠から枠外側の保持体の部位にまで切り欠かれて形成された、複数のフラップ片と同数の矩形状の切欠部を有し、
フラップ片支持部は、窓部中心点に向かってフラップ片が展開するように、窓部中心点から見て切欠部の外側に位置する保持体の部位に第１折線を介して接続されることを特徴とする、請求項１または請求項２に記載の包装容器。
【請求項４】
保持体は、
略板状の前部と、前部に対応する形状を有する略板状の背部とを含み、
前部と背部とが、対向するように配設され、
前部又は背部に、窓部が形成され、
窓部の枠は、複数の直線部分を有し、
複数のフラップ片のフラップ片支持部はそれぞれ、複数の直線部分のそれぞれに第１折線を介して接続されることを特徴とする、請求項１または請求項２に記載の包装容器。
【請求項５】
保持体は、
略板状の前部と、前部に対応する形状を有する略板状の背部とを含み、
前部と背部とが、対向するように配設され、
前部又は背部に、窓部が形成され、
１枚の台紙体を折ることにより形成されており、
台紙体は、
保持体に形成された際に前部を構成する前部構成部と、保持体に形成された際に背部を構成し前部構成部と折り曲げ可能に接続して並列する背部構成部と、前部構成部または背部構成部と折り曲げ可能に接続して並列する糊しろ片と、糊しろ片と折り曲げ可能に第１折線を介して接続して並列する１つ以上のフラップ片と、を有し、
保持体は、台紙体を折って、糊しろ片を前部構成部又は背部構成部に接着して、形成され、
１つ以上のフラップ片は、第１折線が窓部の枠または枠近傍に配置されて、窓部の枠または枠近傍から窓部中心点に向かって展開することを特徴とする、請求項１または請求項２に記載の包装容器。
【請求項６】
保持体は、
略板状の前部と、前部に対応する形状を有する略板状の背部とを含み、
前部と背部とが、対向するように配設され、
前部又は背部に、窓部が形成され、
１枚の台紙体を折ることにより形成され、
台紙体は、保持体の窓部となる開口部が形成され、
複数のフラップ片は、台紙体を切削して開口部を形成する際に、開口部の内側に同時に形成されることを特徴とする、請求項１または請求項２に記載の包装容器。
【請求項７】
保持体は、
略板状の前部と、前部に対応する形状を有する略板状の背部とを含み、
前部と背部とが、対向するように配設され、
前部又は背部に、窓部が形成され、
保持体の天部近傍に、前部又は背部に接続して保持体の天部の開口を塞ぐ蓋部を有することを特徴とする、請求項１または請求項２に記載の包装容器。
【発明の詳細な説明】
【技術分野】
【０００１】
本発明は、商品等の被包装物を包装するための包装容器に関し、特に、販売または展示に適した態様で被包装物を包装するための包装容器に関する。
【背景技術】
【０００２】
特許文献１には、従来の包装容器の一例が記載されている。この包装容器は、底部１８側に連設された第１の被包装物保持板５０と第２の被包装物保持板７０とが、第１の折り返し線２４と第２の折り返し線２６とを介して胴板１２、１４側の内面側に折り返され、包装容器（保持体）の内部で被包装物Ｇを下側から支持する。また、被包装物の包装方法は、包装容器の下側に位置する第１の被包装物保持板５０と第２の被包装物保持板７０との間から第１の胴板１２と第２の胴板１４との間の収容部内に挿入して収容する方法である。
【先行技術文献】
【特許文献】
【０００３】
【特許文献１】特開２０１５−８５９５７号公報
【発明の概要】
【発明が解決しようとする課題】
【０００４】
しかしながら、特許文献１に記載の包装容器は、被包装物が包装容器（保持体）の内部で下部に位置する第１の被包装物保持板５０と第２の被包装物保持板７０とにより支持されており、被包装物の底部が支持されているので、被包装物が鉛直方向を軸として回転する可能性があることにより、被包装物たる商品の販売展示効果が損なわれる可能性があるという問題があった。
【０００５】
また、特許文献１に記載の包装容器は、その包装方法および構造から、下部から被包装物を導入しやすく且つ導入されて保持された被包装物が脱落しにくいという効果を有しているものの、被包装物が保持体の厚みよりも細い筒状の物を対象することとなるため、底部の面積が微小である球状物または保持体の厚みよりも太い形態の物は包装できないという問題があった。
【０００６】
そこで本発明は、上記の問題点に鑑みてなされたものであり、被包装物を導入しやすく且つ導入されて保持された被包装物が脱落しにくく、保持された被包装物が回転せず、球状または保持体の厚みよりも太い形態の被包装物を包装することができる包装容器を提供することを目的とする。
【課題を解決するための手段】
【０００７】
この発明に係る包装容器は、被包装物を包装するための包装容器であって、可撓性を有し被包装物を把持ないし支持する保持体を備え、被包装物は、被包装状態における正面視の形状の輪郭線を形成する輪郭部と、輪郭線の中心点となる輪郭中心点と、を有し、輪郭部は、保持体の一部に把持される部分である被把持部を含み、保持体は、被包装物を保持体の内側に導入するための窓部が形成されており、窓部は、被包装物の輪郭部と略同一形状の枠と、枠の中心点となる窓部中心点と、を有し、被包装物の被把持部を把持する複数のフラップ片が、窓部の枠または枠近傍に位置する保持体の複数の部位に設けられ、複数のフラップ片はそれぞれ、保持体の内側に向かって折れ曲がることを可能とするための平行な第１折線および第２折線と、第１折線を介して窓部の枠または枠近傍の保持体の部位に接続し第１折線と第２折線との間に位置するフラップ片支持部と、フラップ片支持部に第２折線を介して接続し第２折線から窓部中心点側に向いて延びるフラップ片本体部と、を有し、それぞれのフラップ片の第１折線と窓部中心点との間の長さは、当該フラップ片に把持される被把持部と輪郭中心点との間の長さに比べて、等しいか長く、それぞれのフラップ片の第１折線を挟むフラップ片支持部と保持体の部位とが平面化した際の、当該フラップ片の第２折線と窓部中心点との間の長さは、当該フラップ片に把持される被把持部と輪郭中心点との間の長さに比べて、短いことを特徴とする、包装容器である。
【０００８】
この発明に係る包装容器によれば、可撓性を有し被包装物を把持ないし支持する保持体を備え、被包装物は、被包装状態における正面視の形状の輪郭線を形成する輪郭部と、輪郭線の中心点となる輪郭中心点と、を有し、輪郭部は、保持体の一部に把持される部分である被把持部を含み、保持体は、被包装物を保持体の内側に導入するための窓部が形成されているので、被包装物は、窓部を通って保持体の内側に導入されて、保持体の一部に把持されることとなる。そして、窓部は、被包装物の輪郭部と略同一形状の枠と、枠の中心点となる窓部中心点と、を有し、被包装物の被把持部を把持する複数のフラップ片が、窓部の枠または枠近傍に位置する保持体の複数の部位に設けられているので、被包装物は、窓部の枠を通って保持体の内側に導入される際、窓部の枠または枠近傍に位置する保持体の複数の部位に設けられたフラップ片に当接することとなる。そして、複数のフラップ片はそれぞれ、保持体の内側に向かって折れ曲がることを可能とするための平行な第１折線および第２折線と、第１折線を介して窓部の枠または枠近傍の保持体の部位に接続し第１折線と第２折線との間に位置するフラップ片支持部と、フラップ片支持部に第２折線を介して接続し第２折線から窓部中心点側に向いて延びるフラップ片本体部と、を有するので、被包装物が、保持体の内側への進入につれて、窓部中心点側に位置するフラップ片本体部に当接することにより、複数のフラップ片は、初めに第１折線を折り目としながら保持体の内側に向かって折れ曲がる。さらに、第１折線の折れ角が９０度程度に到達すると、可撓性の限界から第１折線にかかる回転モーメントに対する抵抗力が増大するので、複数のフラップ片は、第２折線を折り目としながら、さらに保持体の内側に向かって折れ曲がる。ここで、それぞれのフラップ片の第１折線と窓部中心点との間の長さは、当該フラップ片に把持される被把持部と輪郭中心点との間の長さに比べて、等しいか長く、それぞれのフラップ片の第１折線を挟むフラップ片支持部と保持体の部位とが平面化した際の、当該フラップ片の第２折線と窓部中心点との間の長さは、当該フラップ片に把持される被把持部と輪郭中心点との間の長さに比べて、短いが、被包装物の輪郭中心点が窓部の窓部中心点近傍から保持体の内側に存在する状態において、第１折線の折れ角が９０度程度にまで増加していることから、それぞれのフラップ片の第２折線と窓部中心点との間の長さは、第１折線と窓部中心点との間の長さと略同一となる。すなわち、それぞれのフラップ片の第２折線と窓部中心点との間の長さは、当該フラップ片に把持される被把持部と輪郭中心点との間の長さに比べて、等しいか長くなる。これにより、被包装物は、それぞれのフラップ片すなわち窓部に阻害されることなく容易に保持体の内側に導入されることができる。
【０００９】
また、この発明に係る包装容器によれば、可撓性を有する保持体の一部である複数のフラップ片が窓部の枠または枠近傍に位置する保持体の複数の部位に設けられているので、窓部の枠または枠近傍から折れ曲がるとともに弾性力により戻ろうとする複数のフラップ片のうちのフラップ片本体部が被包装物の被把持部に輪郭中心点に向かって当接して、保持体の内側に導入された被包装物は、複数のフラップ片に把持された状態となる。すなわち、被包装物は、複数点で把持されている状態であるので、保持された被包装物が回転することがない。
【００１０】
さらに、この発明に係る包装容器によれば、保持体の内側に導入され把持された被包装物は、窓部を通って保持体の外側に脱出しようとする場合、被把持部に当接する複数のフラップ片のフラップ片本体部とともに、輪郭中心点が窓部中心点に近づいていく。この際、保持体の内側に折れ曲がっていたそれぞれのフラップ片の第１折線および第２折線のうち、輪郭中心点から離れている第１折線の折れ角が減少する方向へのモーメントが、輪郭中心点に近い第２折線の折れ角が減少する方向へのモーメントよりも大きいため、第１折線の折れ角が減少する。すなわち、第１折線を挟むフラップ片支持部と保持体の部位とが平面化する。このため、輪郭中心点が窓部中心点に接近するにつれて第２折線が窓部中心点に接近し、それぞれのフラップ片の第１折線を挟むフラップ片支持部と保持体の部位とが平面化した際の、当該フラップ片の第２折線と窓部中心点との間の長さは、当該フラップ片に把持される被把持部と輪郭中心点との間の長さに比べて、短いので、フラップ片支持部および第２折線に被包装物の外面が接触する。したがって、被包装物は、フラップ片支持部および第２折線に阻害されて、窓部を通って保持体の外側に脱落することが防止される。
言い換えれば、被包装物が保持体の内側から窓部を通って保持体の外側に出ようとする際には、第１折線を挟むフラップ片支持部と保持体の部位とが平面化し、フラップ片支持部が窓部中心点に向かって起立することによって、窓部の開口を狭め、被包装物の保持体からの脱落を防止する。
【００１１】
加えて、この発明に係る包装容器によれば、底部の面積が微小である球状物または保持体の厚みよりも太い形態の物であっても、輪郭中心点を窓部中心点よりも保持体の内側に配置して、かつ、複数のフラップ片で被把持部を把持することにより、包装することができる。
【００１２】
この発明に係る包装容器は、熱収縮により被包装物を包むシュリンクフィルムを更に備え、シュリンクフィルムは、いずれか１つのフラップ片のフラップ片本体部に接着され、シュリンクフィルムに包まれた被包装物は、保持体の内側で、複数のフラップ片によって支持ないし把持されることを特徴としてもよい。
【００１３】
この発明に係る包装容器によれば、保持体に設けられたいずれか１つのフラップ片のフラップ片本体部に接着されたシュリンクフィルムによって、当該シュリンクフィルムに包まれた被包装物は包装容器が備える保持体に支持された状態となり、さらに、他のフラップ片に把持されるので、保持体の内側で確実に保持される。また、被包装物がシュリンクフィルムに包まれることにより、埃等で汚損されることがない。
【００１４】
この発明に係る包装容器は、保持体は、略板状の前部と、前部に対応する形状を有する略板状の背部とを含み、前部と背部とが、対向するように配設され、前部又は背部に、窓部が形成され、窓部は、窓部の枠から枠外側の保持体の部位にまで切り欠かれて形成された、複数のフラップ片と同数の矩形状の切欠部を有し、フラップ片支持部は、窓部中心点に向かってフラップ片が展開するように、窓部中心点から見て切欠部の外側に位置する保持体の部位に第１折線を介して接続されることを特徴としてもよい。
【００１５】
この発明に係る包装容器によれば、被包装物の輪郭部と略同一形状の枠を有する窓部において、その枠の形状に依存することなく、切欠部の長さに応じて、第１折線を十分な長さを持って形成することができる。
したがって、可撓性を有する部材で形成されているフラップ片の折り曲げによって生じる弾性力が第１折線および第２折線の長さに依存することから、窓部の枠に十分な長さの直線部分がなくとも、すなわち、直線部分が十分な長さを有するものではない輪郭部を有する被包装物は、十分な長さを持って第１折線を形成され十分な弾性力を有する複数のフラップ片によって把持されることができる。
【００１６】
この発明に係る包装容器は、保持体は、略板状の前部と、前部に対応する形状を有する略板状の背部とを含み、前部と背部とが、対向するように配設され、前部又は背部に、窓部が形成され、窓部の枠は、複数の直線部分を有し、複数のフラップ片のフラップ片支持部はそれぞれ、複数の直線部分のそれぞれに第１折線を介して接続されることを特徴としてもよい。
【００１７】
この発明に係る包装容器によれば、被包装物の複数の直線部分からなる輪郭部と略同一形状の枠を有する窓部において、その窓部の枠に、十分な長さの第１折線を介して複数のフラップ片が接続されることとなる。
したがって、複数のフラップ片は、十分な把持力を有しながら被包装物に当接されて保持体の内側に折れ曲がることにより、被包装物に隠れて外側から見えない状態で被包装物を把持することとなる。すなわち、被包装物のみが窓部から見える状態となり、被包装物の包装容器による販売展示効果をより向上することができる。
【００１８】
この発明に係る包装容器は、保持体は、略板状の前部と、前部に対応する形状を有する略板状の背部とを含み、前部と背部とが、対向するように配設され、前部又は背部に、窓部が形成され、１枚の台紙体を折ることにより形成されており、台紙体は、保持体に形成された際に前部を構成する前部構成部と、保持体に形成された際に背部を構成し前部構成部と折り曲げ可能に接続して並列する背部構成部と、前部構成部または背部構成部と折り曲げ可能に接続して並列する糊しろ片と、糊しろ片と折り曲げ可能に第１折線を介して接続して並列する１つ以上のフラップ片と、を有し、保持体は、台紙体を折って、糊しろ片を前部構成部又は背部構成部に接着して、形成され、１つ以上のフラップ片は、第１折線が窓部の枠または枠近傍に配置されて、窓部の枠または枠近傍から窓部中心点に向かって展開することを特徴としてもよい。
【００１９】
この発明に係る包装容器によれば、保持体は、台紙体を折って、糊しろ片を前部構成部又は背部構成部に接着して、形成され、１つ以上のフラップ片は、第１折線が窓部の枠または枠近傍に配置されて、窓部の枠または枠近傍から窓部中心点に向かって展開するので、窓部の枠の面積よりも大きな合計面積となる１つ以上のフラップ片であっても、糊しろ片に接続して並列することによって、窓部となるべき台紙体の開口部以外の部位に形成されることができる。
したがって、窓部の枠の形状が十分な面積を有しない場合又は枠が細長い形状である場合であっても、保持体の内側で複数のフラップ片で被包装物を確実に把持することができる。
【００２０】
この発明に係る包装容器は、保持体は、略板状の前部と、前部に対応する形状を有する略板状の背部とを含み、前部と背部とが、対向するように配設され、前部又は背部に、窓部が形成され、１枚の台紙体を折ることにより形成され、台紙体は、保持体の窓部となる開口部が形成され、複数のフラップ片は、台紙体を切削して開口部を形成する際に、開口部の内側に同時に形成されることを特徴としてもよい。
【００２１】
この発明に係る包装容器によれば、保持体は、１枚の台紙体を折ることにより形成され、台紙体は、保持体の窓部となる開口部が形成され、複数のフラップ片は、台紙体を切削して開口部を形成する際に、開口部の内側に同時に形成されるので、１枚のブランクシートから台紙体を切削して形成する際に、そのブランクシートの面積を減少することができ、材料費の節約をすることができる。
【００２２】
この発明に係る包装容器は、保持体は、略板状の前部と、前部に対応する形状を有する略板状の背部とを含み、前部と背部とが、対向するように配設され、前部又は背部に、窓部が形成され、保持体の天部近傍に、前部又は背部に接続して保持体の天部の開口を塞ぐ蓋部を有することを特徴としてもよい。
【００２３】
この発明に係る包装容器によれば、保持体は、保持体の天部近傍に、前部又は背部に接続して保持体の天部の開口を塞ぐ蓋部を有するので、被包装物が、保持体の天部の開口から進入してきた埃等で汚損されることがない。
【発明の効果】
【００２４】
本発明によれば、被包装物を導入しやすく且つ導入されて保持された被包装物が脱落しにくく、保持された被包装物が回転せず、球状または保持体の厚みよりも太い形態の被包装物を包装することができる。
【図面の簡単な説明】
【００２５】
【図１】本発明の第１の実施の形態に係る包装容器の斜視図である。
【図２】本発明の第１の実施の形態に係る包装容器が被包装物を包装している状態の斜視図である。
【図３】本発明の第１の実施の形態に係る包装容器において方向を定義する斜視図である。
【図４】本発明の第１の実施の形態に係る被包装物の斜視図である。
【図５】図１のＶ−Ｖ断面図であり、被包装物が保持体に導入される初めの過程を示す断面図である。
【図６】図５の次の過程であり、被包装物が保持体に導入される過程を示す断面図である。
【図７】図６の次の過程であり、被包装物が保持体に導入された状態を示す断面図である。
【図８】本発明の第１の実施の形態に係る被包装物が保持体の内側で保持されている状態から脱出しようとする状態を示す断面図である。
【図９】図１のＶ−Ｖ断面図において、本発明の第１の実施の形態に係るフラップ片支持部と保持体の部位とが平面化している状態での、保持体の第１折線又は第２折線と窓部中心点との間の長さと、被包装物の被把持部と輪郭中心点との間の長さと、の関係を示す断面図である。
【図１０】本発明の第１の実施の形態に係る保持体に形成される前の台紙体の表面を示す平面図である。
【図１１】本発明の第１の実施の形態に係る保持体に形成される前の台紙体の裏面を示す平面図である。
【図１２】本発明の第１の実施の形態に係る台紙体を折って保持体を形成する工程を示す斜視図である。
【図１３】図１２の次の工程であり、台紙体を折って保持体を形成する工程を示す斜視図である。
【図１４】図１３の次の状態を示す図であり、台紙体が保持体に形成される前に形成される中間平面体を示す斜視図である。
【図１５】本発明の第１の実施の形態に係る中間平面体を示す正面図である。
【図１６】本発明の第１の実施の形態に係る中間平面体にシュリンクフィルムが接着された状態を示す正面図である。
【図１７】本発明の第２の実施の形態に係る包装容器が被包装物を包装している状態の図であり、（Ａ）は平面図であり、（Ｂ）は正面図である。
【図１８】本発明の第２の実施の形態に係る保持体に形成される前の台紙体の表面を示す平面図である。
【図１９】本発明の第２の実施の形態に係る保持体に形成される前の台紙体の裏面を示す平面図である。
【図２０】本発明の第２の実施の形態に係る台紙体が保持体に形成される前に形成される中間平面体およびシュリンクフィルムを示す斜視図である。
【図２１】本発明の第３の実施の形態に係る包装容器が被包装物を包装している状態の斜視図である。
【図２２】本発明の第３の実施の形態に係る包装容器の横断面図である。
【図２３】本発明の第３の実施の形態に係る保持体に形成される前の台紙体の表面を示す平面図である。
【図２４】本発明の第３の実施の形態に係る保持体に形成される前の台紙体の裏面を示す平面図である。
【図２５】本発明の第３の実施の形態に係る台紙体を折って保持体を形成する工程を示す斜視図である。
【図２６】図２５の次の工程であり、台紙体を折って保持体を形成する工程を示す斜視図である。
【図２７】図２６の次の状態を示す図であり、本発明の第３の実施の形態に係る台紙体が保持体に形成される前に形成される中間平面体およびシュリンクフィルムを示す斜視図である。
【発明を実施するための形態】
【００２６】
＜第１の実施の形態＞
以下、本発明の第１の実施の形態に係る包装容器１０について、図を参照して詳細に説明する。
【００２７】
図１は、本発明の第１の実施の形態に係る包装容器の斜視図である。図２は、本発明の第１の実施の形態に係る包装容器が被包装物を包装している状態の斜視図である。図３は、本発明の第１の実施の形態に係る包装容器において方向を定義する斜視図である。図４は、本発明の第１の実施の形態に係る被包装物の斜視図である。図９は、図１のＶ−Ｖ断面図において、本発明の第１の実施の形態に係るフラップ片支持部と保持体の部位とが平面化している状態での、保持体の第１折線又は第２折線と窓部中心点との間の長さと、被包装物の被把持部と輪郭中心点との間の長さと、の関係を示す断面図である。なお、図１ないし図９においては、シュリンクフィルムを省略して図示している。
【００２８】
ここで、本明細書において、包装容器に関係する方向を、図３に従って定義する。すなわち、保持体が起立した状態であって、フラップ片が設けられる窓部を正面にした状態において、前後左右上下を定義する。また、前後方向を厚さ方向と、左右方向を幅方向と、上下方向を高さ方向と、する。また、枠の内側および外側、並びに、保持体の内側および外側を、図３のように定義する。
さらに、本明細書において、「保持」とは、把持ないし支持を包括する用語として定義する。「平面化」とは、折れ曲がる２つの平面が形成する外角すなわち２つの平面の折れ角が減少することを意味するものであり、折れ角が０になること、すなわち、完全に１つの平面となることだけを意味するものではない。
【００２９】
包装容器１０は、主に、商品である被包装物Ｍの販売店の店頭又は店内での販売展示効果を向上させるために用いられる、被包装物Ｍを包装するための包装容器である。包装容器１０は、可撓性を有し被包装物Ｍを把持ないし支持する保持体２０と、熱収縮により被包装物Ｍを包むシュリンクフィルム７０と、を備える。
【００３０】
被包装物Ｍは、包装容器１０に包装される有体物であり、主に、店頭又は店内に掲出又は陳列等されて、販売のために展示される商品である。被包装物Ｍは、任意の形状・大きさを有していてもよいが、例えば、半径３０ｍｍの球状物である。また、被包装物Ｍは、保持体２０に把持ないし支持されうる程度の剛性（硬さ）のある物である。被包装物Ｍは、包装容器１０に包装された状態における正面視の形状の輪郭線を形成する輪郭部ＯＬと、輪郭線の中心点となる輪郭中心点ＯＬＣと、を有する。輪郭部ＯＬは、保持体２０の一部に把持される部分である被把持部ＧＲを含む。すなわち、輪郭部ＯＬは、正面視において円形状であり、平面視において帯状である。被把持部ＧＲは、微小面積を有する方形である。被把持部ＧＲは、輪郭部ＯＬ上に複数箇所、例えば２箇所存在する。輪郭中心点ＯＬＣは、輪郭部ＯＬの正面視円形状の中心となる点である。輪郭部ＯＬの正面視円形状の半径は、例えば、３０ｍｍである。
【００３１】
（保持体２０）
保持体２０は、包装容器１０の構造体であるとともに、被包装物Ｍをその形状に適応しながら、被包装物Ｍを保持体の一部によって把持ないし支持する。保持体２０は、略板状の前部２２と、前部２２に対応する形状を有する略板状の背部２４と、を含み、前部２２と背部２４とが、対向するように配設されて、構成される。保持体２０は、前部２２に、被包装物Ｍを保持体２０の内側に導入するための窓部３０が形成されている。保持体２０は、後述するように１枚の台紙体５０を折ることにより形成されている。
【００３２】
保持体２０は、後述する台紙体５０により形成されていることから、支持ないし把持する被包装物Ｍを傷つけることなく包装することを可能とする。さらに、保持体２０は、台紙体５０を構成する厚紙等のシート状部材の可撓性と後述する複数のフラップ片３６とにより、被包装物Ｍが窓部３０から導入されやすく、かつ、保持体２０の内側で把持された被包装物Ｍが窓部３０を通って保持体２０の外側に脱出しようとしても、被包装物Ｍが保持体２０すなわち包装容器１０から脱落することを防止することができる。
【００３３】
保持体２０は、略板状の前部２２と、前部２２に対応する形状を有する略板状の背部２４と、が、その幅方向である左端縁と右端縁とを接続して形成されており、全体として、平面視において、幅方向の両端縁を支点として厚さ方向に互いに反対側へと湾曲する形状である。すなわち、保持体２０は、厚み方向に若干潰れた筒形状に形成されている。保持体２０の外形状は、高さが被包装物Ｍの高さよりも高く、幅が被包装物Ｍの幅よりも広い。
【００３４】
前部２２は、略板状であり、平面視において前向きに凸の弓状に湾曲し、正面視においてその外形が天部において下方に若干凹んだ略方形状ないし略矩形状に形成されている。前部２２の外形状は、例えば、最大高さが１０８ｍｍであり、最小高さが９０ｍｍであり、幅が９４ｍｍであり、厚みが１８ｍｍである。さらに、前部２２は、その中央付近に、窓部３０が形成されている。
【００３５】
背部２４は、前部２２に対応する形状を有する略板状であり、平面視において後向きに凸の弓状に湾曲し、正面視においてその外形が天部において下方に若干凹んだ略方形状ないし略矩形状に形成されている。背部２４の外形状は、前部２２と、保持体２０の厚み方向（前後方向）の中心線に対して対称な形状である。さらに、背部２４は、その中央付近に、背部窓部４０が形成されている。背部窓部４０は、被包装物Ｍが包装容器１０の背面側から視認できるようにするための開口であり、被包装物Ｍの輪郭部ＯＬの形状に対応する形状であるものの、それよりも若干小形の形状である。
【００３６】
背部２４の上方に、背部上片部２４ｐが一体的に接続している。背部上片部２４ｐは、包装容器１０の正面視における視認面積を拡大して、印刷による包装容器１０の販売展示効果を向上するものである。背部上片部２４ｐは、幅、厚みが背部２４と同じ長さであり、高さが、背部の高さの３分の１から４分の１程度である。背部上片部２４ｐは、背部２４と同様に、後向きに凸の弓状に湾曲する形状である。また、背部上片部２４ｐは、包装容器１０が、陳列棚の上方に客側に向かって突出しているフック（図示しない）が挿通されて、販売展示のために掲出されるためのフック用開口部５８が形成されている。フック用開口部５８は、背部上片部の、幅方向の中央、高さ方向の上端近傍、に形成されている。
【００３７】
（窓部３０）
窓部３０は、前部２２の中央付近に形成された、包装容器１０すなわち保持体２０の内側に被包装物Ｍを導入するための開口である。窓部３０は、被包装物Ｍの輪郭部ＯＬと略同一形状の枠３２と、枠３２の中心点となる窓部中心点３０ｃと、を有する。すなわち、枠３２は、被包装物Ｍの輪郭部ＯＬの正面視形状である円形状と略同一形状である略円形状である。窓部中心点３０ｃは、枠３２の略円形状の中心となる点である。窓部３０は、被包装物Ｍの被把持部ＧＲを把持する複数のフラップ片３６が、窓部３０の枠３２または枠３２近傍に位置する保持体２０の複数の部位に設けられている。
【００３８】
枠３２は、被包装物Ｍの輪郭部ＯＬの円形状に対応して形成されているが、具体的には、例えば半径３１ｍｍの円形状である。すなわち、枠３２は、保持体２０の可撓性と被包装物Ｍの剛性とに応じて、輪郭部ＯＬの正面視形状よりも若干小さい形状又は若干大きい形状であってもよいが、輪郭部ＯＬの正面視形状と略等しい形状である。窓部３０は、窓部３０の枠３２から枠３２外側の保持体２０の部位にまで切り欠かれて形成された、複数のフラップ片３６と同数の矩形状の切欠部３４が形成されている。
【００３９】
窓部中心点３０ｃは、枠３２の中心点である。窓部中心点３０ｃは、枠３２が略円形状であるので、その円の中心と一致する。
【００４０】
切欠部３４は、後述するフラップ片３６の第１折線３６ｆ１が枠３２の外側に位置するように枠３２から切りかかれて形成される部分である。切欠部３４は、矩形状であり、その長手の一辺が枠３２の輪郭に沿うようにして、窓部３０の枠３２から枠３２外側の保持体２０の部位にまで切り欠かれて形成されている。切欠部３４は、後述するように、フラップ片支持部３６ｓの外形状と同一形状であってもよい。切欠部３４は、窓部３０の枠３２の輪郭に沿うようにして、複数形成されている。切欠部３４の個数は、フラップ片３６の個数と同数である。
【００４１】
（フラップ片３６）
複数のフラップ片３６は、被包装物Ｍが有する複数の被把持部ＧＲのそれぞれを、複数方向から輪郭中心点ＯＬＣに向かって当接して、その摩擦力と相まって、把持するためのフラップ形状の片である。複数のフラップ片３６はそれぞれ、保持体２０の内側に向かって折れ曲がることを可能とするための平行な第１折線３６ｆ１および第２折線３６ｆ２と、第１折線３６ｆ１を介して窓部３０の枠３２または枠３２近傍の保持体２０の部位に接続し第１折線３６ｆ１と第２折線３６ｆ２との間に位置するフラップ片支持部３６ｓと、フラップ片支持部３６ｓに第２折線３６ｆ２を介して接続し第２折線３６ｆ２から窓部中心点３０ｃ側に向いて延びるフラップ片本体部３６ｂと、を有する。複数のフラップ片３６は、被把持物Ｍを把持する把持手段を構成する。
【００４２】
フラップ片支持部３６ｓは、矩形状であり、その長手方向の一辺が第１折線３６ｆ１を構成し、第１折線３６ｆ１の反対側の一辺が第２折線３６ｆ２を構成する。フラップ片支持部３６ｓは、窓部３０の枠３２又は枠３２近傍に位置する保持体２０の部位（後述する台紙体５０を構成するシート状部材）に第１折線３６ｆ１を介して一体的に接続する。フラップ片支持部３６ｓと保持体２０の部位とが、同じ可撓性を有するシート状部材、例えば、厚紙により形成されていることから、フラップ片支持部３６ｓは、第１折線３６ｆ１によって折れ曲がることができるものの、弾性力によって折れ角を減少する方向に、すなわち、第１折線３６ｆ１を挟むフラップ片支持部３６ｓと保持体２０の部位とが平面化する方向に、戻ろうとする。
【００４３】
フラップ片本体部３６ｂは、要部分を直線的に切り欠いた略扇形状に形成されており、その切り欠いた直線部分が第２折線を構成する。フラップ片本体部３６ｂは、フラップ片支持部３６ｓに第２折線３６ｆ２を介して一体的に接続する。フラップ片本体部３６ｂとフラップ片支持部３６ｓとが、同じ可撓性を有するシート状部材、例えば、厚紙により形成されていることから、フラップ片本体部３６ｂは、第２折線３６ｆ２によって折れ曲がることができるものの、弾性力によって折れ角を減少する方向に、すなわち、第２折線３６ｆ２を挟むフラップ片本体部３６ｂとフラップ片支持部３６ｓとが平面化する方向に、戻ろうとする。フラップ片本体部３６ｂの展開する方向の両側（上側および下側）の曲線は、枠３２の輪郭に沿うように形成され配置される。フラップ片本体部３６ｂの展開する方向（窓部中心点３０ｃ方向）への長さは、略円形状の枠３２の半径よりも小さい。フラップ片本体部３６ｂが、展開する方向の両側が枠３２の輪郭に沿う位置に配置されることにより、フラップ片３６は、窓部３０の枠３２に、正面視において収まることができる。
フラップ片本体部３６ｂは、後述するシュリンクフィルム７０が接着されるためのシュリンクフィルム固着部３６ｂｎが形成されている。シュリンクフィルム固着部３６ｂｎは、フラップ片本体部３６ｂの正面視における輪郭のやや内側に、フラップ片本体部３６ｂの形状と略同一形状に形成される。
【００４４】
第１折線３６ｆ１と第２折線ｆ２とは、フラップ片３６が保持体２０の内側に向かって折れ曲がることを可能とするための平行な折線である。すなわち、フラップ片支持部３６ｓは、第１折線３６ｆ１によって、接続する保持体２０の部位から見て保持体の内側に折れ曲がることができる。フラップ片本体部３６ｂは、第２折線３６ｆ２によって、接続するフラップ片支持部３６ｓから見て保持体の内側に折れ曲がることができる。
【００４５】
複数のフラップ片３６はそれぞれ、複数の切欠部３４のそれぞれにおいて、窓部中心点３０ｃに向かってフラップ片３６が展開するように、フラップ片支持部３６ｓが、窓部中心点３０ｃから見て切欠部３４の外側に位置する保持体２０の部位に第１折線３６ｆ１を介して接続されて、構成されている。これにより、フラップ片支持部３６ｓは、切欠部３４に収まることができる。第２折線３６ｆ２は、直線であり、切欠部３４の窓部中心点３０ｃ側（内側）に位置することとなるが、切欠部３４の両側（上側および下側）が枠３２に連続しているので、被包装物Ｍの輪郭部ＯＬと略同一形状すなわち略円形状の枠３２の輪郭よりも窓部中心点３０ｃ側（枠の内側）に位置することとなる。
【００４６】
第１折線３６ｆ１が切欠部３４の外側に位置することから、図９に示すように、それぞれのフラップ片３６の第１折線３６ｆ１と窓部中心点３０ｃとの間の長さ（Ｌ1）は、当該フラップ片３６に把持される被把持部ＧＲと輪郭中心点ＯＬＣとの間の長さ（ＬGR）に比べて、等しいか長い。すなわち、Ｌ1≧ＬGRである。
さらに、第２折線３６ｆ２が枠３２の輪郭よりも窓部中心点３０ｃ側（枠の内側）に位置するので、図９に示すように、それぞれのフラップ片３６の第１折線３６ｆ１を挟むフラップ片支持部３６ｓと保持体２０の部位とが平面化した際の、当該フラップ片３６の第２折線３６ｆ２と窓部中心点３０ｃとの間の長さ（Ｌ2）は、当該フラップ片３６に把持される被把持部ＧＲと輪郭中心点ＯＬＣとの間の長さ（ＬGR）に比べて、短い。すなわち、ＬGR＞Ｌ2である。
【００４７】
（蓋部２６）
保持体２０は、保持体２０の天部近傍に、前部２２又は背部２４に接続して保持体２０の天部の開口を塞ぐ蓋部２６を有する。蓋部２６は、保持体２０の天部を形成する前部２２と背部２４とに一体的に接続し、前部２２と背部２４との間に位置する上向きの開口を塞ぐ。蓋部２６は、後述する台紙体第４折線５０ｆ４ａを介して前部２２と接続し、台紙体第４折線５０ｆ４ｂを介して背部２４と接続する。
【００４８】
（シュリンクフィルム７０）
シュリンクフィルム７０は、熱を加えられることで収縮し、被包装物Ｍの表面に密着することで、被包装物Ｍを全体的に包むためのフィルム部材である。シュリンクフィルム７０は、上側と下側とを開口した筒状に形成されている。シュリンクフィルム７０は、材料としては、ポリエチレンテレフタレート（ＰＥＴ）、ポリスチレン（ＰＳ、ＯＰＳ）、ポリ塩化ビニル（ＰＶＣ）、ポリプロピレン（ＰＰ）、ポリオレフィン系（ＰＥ/ＰＰ）などの熱可塑性樹脂が用いられる。シュリンクフィルム７０は、いずれか１つのフラップ片３６のフラップ片本体部３６ｂに接着される。詳細には、フラップ片本体部３６ｂの正面視における輪郭のやや内側に形成されたシュリンクフィルム固着部３６ｂｎに、平面状に潰れたシュリンクフィルム７０が貼り付けられる。平面状に潰れたシュリンクフィルム７０の左右の中心線が、シュリンクフィルム固着部３６ｂｎ上に位置するように貼り付けられる。熱収縮する前のシュリンクフィルム７０は、高さが枠３２の直径と同一か若干小さく、平面視における筒状の円周は被包装物Ｍの被包装状態における幅および厚み方向の外周長さと同一か若干大きい。
【００４９】
（包装容器１０に被包装物Ｍを導入する過程）
次に、包装容器１０に被包装物Ｍを導入する過程を説明する。
図５は、図１のＶ−Ｖ断面図であり、被包装物が保持体に導入される初めの過程を示す断面図である。図６は、図５の次の過程であり、被包装物が保持体に導入される過程を示す断面図である。図７は、図６の次の過程であり、被包装物が保持体に導入された状態を示す断面図である。
【００５０】
包装される前の被包装物Ｍを、保持体２０に接着された熱収縮していない筒状のシュリンクフィルム７０に上側または下側から装填する。（第１の過程）
【００５１】
被包装物Ｍが装填されたシュリンクフィルム７０を熱収縮する。これにより、被包装物Ｍが、シュリンクフィルム７０に包まれ、いずれか１つのフラップ片３６に接着されたシュリンクフィルム７０を介して、当該フラップ片３６に連結した状態、すなわち保持体２０に連結した状態となる。（第２の過程）
【００５２】
図５ないし図６に示すように、シュリンクフィルム７０に包まれた被包装物Ｍを、保持体２０が備える窓部３０に通す。詳細には、被包装物Ｍが、窓部３０に設けられた複数のフラップ片３６のフラップ片本体部３６ｂに当接し、フラップ片３６の第１折線３６ｆ１の折れ角を増加させながら、すなわち、フラップ片支持部３６ｓが第１折線３６ｆ１を介して接続する保持体２０の部位から折れながら、被包装物Ｍおよびフラップ片３６が保持体２０の内側に向かって進入する。（第３の過程）
【００５３】
図７に示すように、被包装物Ｍの輪郭中心点ＯＬＣが窓部中心点３０ｃを通過し、フラップ片３６の第１折線３６ｆ１の折れ角が所定の角度例えば９０度に到達した後、続いて第２折線３６ｆ２の折れ角を増加させながら、すなわち、フラップ片本体部３６ｂが第２折線３６ｆ２を介して接続するフラップ片支持部３６ｓから折れながら、被包装物Ｍおよびフラップ片３６がさらに保持体２０の内側に向かって進入し、被包装物Ｍが背部窓部４０の輪郭に当接して、前部２２の窓部３０と背部２４の背部窓部４０とから保持体２０の外側に見えるように露出した状態で、被包装物Ｍの導入が終了する。（第４の過程）
【００５４】
（包装容器１０が被包装物Ｍを把持ないし支持する作用）
次に、包装容器１０が被包装物Ｍを把持ないし支持する作用を説明する。
図７に示すように、被包装物Ｍは、上記の第４の過程によって、保持体２０の内側に導入された状態となるが、この時、複数のフラップ片３６のフラップ片本体部３６ｂが被包装物Ｍの被把持部ＧＲに、輪郭中心点ＯＬＣに向かって当接した状態となっている。
詳細には、可撓性を有する保持体２０の一部である複数のフラップ片３６が窓部３０の枠３２または枠３２近傍に位置する保持体２０の複数の部位に設けられているので、複数のフラップ片３６が窓部３０の枠３２または枠近３２傍から折れ曲がるとともに弾性力により戻ろうとし、複数のフラップ片３６のうちのフラップ片本体部３６ｂが被包装物Ｍの被把持部ＧＲに輪郭中心点ＯＬＣに向かって当接する。
【００５５】
（包装容器１０の効果）
したがって、包装容器１０によれば、保持体２０の内側に導入された被包装物Ｍは、複数点で、すなわち複数方向からフラップ片３６に把持された状態となり、厚紙等の素材で形成されているフラップ片３６の摩擦力とも相まって、保持体２０の内側で保持された状態となる。そして、保持体２０に複数方向から保持された被包装物Ｍは、回転することがない。
さらに、包装容器１０によれば、被包装物Ｍは、シュリンクフィルム７０に包まれ、そのシュリンクフィルム７０がいずれか１つのフラップ片３６のフラップ片本体部３６ｂに接着されているので、シュリンクフィルム７０と当該フラップ片３６とを介して、保持体２０に連結されて支持される。
加えて、包装容器１０によれば、保持体２０の内側に導入された被包装物Ｍは、前部２２の窓部３０と背部２４の背部窓部４０とから保持体２０の外側に見えるように露出した状態で保持体２０に保持されているので、販売店の店頭又は店内での販売展示効果が高い状態で包装されることができる。
【００５６】
続いて、包装容器１０に被包装物Ｍを導入しやすく且つ導入されて保持された被包装物Ｍが脱落しにくい作用効果を説明する。
被包装物Ｍは、上記の第３の過程のとおり、保持体２０の内側への進入につれて、窓部中心点３０ｃ側に位置するフラップ片本体部３６ｂに当接し、複数のフラップ片３６は、初めに第１折線３６ｆ１を折り目としながら保持体２０の内側に向かって折れ曲がる。そして、第１折線３６ｆ１の折れ角が９０度程度に到達すると、可撓性の限界から第１折線３６ｆ１にかかる回転モーメントに対する抵抗力が増大するので、複数のフラップ片３６は、第２折線３６ｆ２を折り目として、さらに保持体２０の内側に向かって折れ曲がる。ここで、それぞれのフラップ片３６の第１折線３６ｆ１と窓部中心点３０ｃとの間の長さ（Ｌ1）は、当該フラップ片３６に把持される被把持部ＧＲと輪郭中心点ＯＬＣとの間の長さ（ＬGR）に比べて、等しいか長く、それぞれのフラップ片３６の第１折線３６ｆ１を挟むフラップ片支持部３６ｓと保持体２０の部位とが平面化した際の、当該フラップ片３６の第２折線３６ｆ２と窓部中心点３０ｃとの間の長さ（Ｌ2）は、当該フラップ片３６に把持される被把持部ＧＲと輪郭中心点ＯＬＣとの間の長さ（ＬGR）に比べて、短いが、被包装物Ｍの輪郭中心点ＯＬＣが窓部３０の窓部中心点３０ｃ近傍から保持体２０の内側に存在する状態において、第１折線３６ｆ１の折れ角が９０度程度にまで増加していることから、それぞれのフラップ片３６の第２折線３６ｆ２と窓部中心点３０ｃとの間の長さは、第１折線３６ｆ１と窓部中心点３０ｃとの間の長さと略同一となる。すなわち、被包装物Ｍの保持体２０への導入時における、それぞれのフラップ片３６の第２折線３６ｆ２と窓部中心点３０ｃとの間の長さは、当該フラップ片３６に把持される被把持部ＧＲと輪郭中心点ＯＬＣとの間の長さ（ＬGR）に比べて、等しいか長くなる。これにより、被包装物Ｍは、それぞれのフラップ片３６すなわち窓部３０に阻害されることなく容易に保持体２０の内側に導入されることができる。
【００５７】
さらに、包装容器１０によれば、保持体２０の内側に導入され把持された被包装物Ｍは、窓部３０を通って保持体２０の外側に脱出しようとする場合、被把持部ＧＲに当接する複数のフラップ片３６のフラップ片本体部３６ｂとともに、輪郭中心点ＯＬＣが窓部中心点３０ｃに近づいていく。この際、保持体２０の内側に折れ曲がっていたそれぞれのフラップ片３６の第１折線３６ｆ１および第２折線３６ｆ２のうち、輪郭中心点ＯＬＣから離れている第１折線３６ｆ１の折れ角が減少する方向へのモーメントが、輪郭中心点ＯＬＣに近い第２折線３６ｆ２の折れ角が減少する方向へのモーメントよりも大きいため、第１折線３６ｆ１の折れ角が減少する。すなわち、第１折線３６ｆ１を挟むフラップ片支持部３６ｓと保持体２０の部位とが平面化する。このため、輪郭中心点ＯＬＣが窓部中心点３０ｃに接近するにつれて第２折線３６ｆ２が窓部中心点３０ｃに接近し、それぞれのフラップ片３６の第１折線３６ｆ１を挟むフラップ片支持部３６ｓと保持体２０の部位とが平面化した際の、当該フラップ片３６の第２折線３６ｆ２と窓部中心点３０ｃとの間の長さ（Ｌ2）は、当該フラップ片３６に把持される被把持部ＧＲと輪郭中心点ＯＬＣとの間の長さ（ＬGR）に比べて、短いので、フラップ片支持部３６ｓおよび第２折線３６ｆ２に被包装物Ｍの外面が接触する。したがって、被包装物Ｍは、フラップ片支持部３６ｓおよび第２折線３６ｆ２に阻害されて、窓部３０を通って保持体２０の外側に脱落することが防止される。
言い換えれば、被包装物Ｍが保持体２０の内側から窓部３０を通って保持体２０の外側に出ようとする際には、第１折線３６ｆ１を挟むフラップ片支持部３６ｓと保持体２０の部位とが平面化し、フラップ片支持部３６ｓが窓部中心点３０ｃに向かって起立することによって、窓部３０の開口を狭め、被包装物Ｍの保持体２０からの脱落を防止する。このときの、開口が狭まる長さをＬ0とすると、Ｌ0は、Ｌ1とＬ2との差に、略等しい。
【００５８】
加えて、包装容器１０によれば、底部の面積が微小である球状物または保持体の厚みよりも太い形態の物であっても、輪郭中心点ＯＬＣを窓部中心点３０ｃよりも保持体２０の内側に配置して、かつ、複数のフラップ片３６で被把持部ＧＲを把持することにより、包装することができる。
【００５９】
（台紙体５０と包装容器１０の組み立て）
図１０は、本発明の第１の実施の形態に係る保持体に形成される前の台紙体の表面を示す平面図である。図１１は、本発明の第１の実施の形態に係る保持体に形成される前の台紙体の裏面を示す平面図である。
包装容器１０が備える保持体２０は、１枚の台紙体５０を折ることにより形成されている。
【００６０】
図１０および図１１に示すように、台紙体５０は、厚紙等の可撓性を有するシート状部材からなる１枚のブランクシート（図示しない）から切削されて形成される。台紙体５０は、保持体２０に形成された際に前部２２を構成する前部構成部５２と、保持体２０に形成された際に背部２４を構成し前部構成部５２と折り曲げ可能に接続して並列する背部構成部５４と、背部構成部５４と折り曲げ可能に接続して並列する糊しろ片５６と、を有する。
【００６１】
前部構成部５２は、台紙体５０が折られることにより、保持体２０の前部２２となるべき台紙体５０の部分である。前部構成部５２は、略矩形状であるが、上部に台紙体第１折線５０ｆ１が幅方向に形成されており、さらに台紙体第１折線５０ｆ１を上下から挟んで互いに反対側へと湾曲する台紙体第４折線５０ｆ４ａ、５０ｆ４ｂが形成されている。台紙体第４折線５０ｆ４ａ、５０ｆ４ｂは、台紙体５０が折られて保持体２０に形成された際に、前部構成部５２から蓋部２６を形成するための折線である。前部構成部５２は、台紙体第４折線５０ｆ４ｂから上方に向かって延びる前部構成部糊しろ片５３が形成されている。前部構成部糊しろ片５３の輪郭のやや内側であって、左端近傍および右端近傍に第１固着部５２ｎが形成されている。
さらに、前部構成部５２は、台紙体５０が折られて保持体２０に形成された際に、保持体２０の窓部３０となる開口部３０が形成されている。開口部３０は、その内側に収まるように形成された複数のフラップ片３６と枠３２から枠３２の外側に向かって切り欠かれて形成された矩形状の切欠部３４とを有する。台紙体５０の開口部３０、複数のフラップ片３６および切欠部３４は、台紙体５０の外形が１枚のブランクシートから切削される際に、同時に切削されて形成される。
【００６２】
背部構成部５４は、台紙体５０が折られることにより、保持体２０の背部２４および背部上片部２４ｐとなるべき台紙体５０の部分である。背部構成部５４は、矩形状である。背部構成部５４は、前部構成部５２の開口部３０と対応する位置に、背部開口部４０が形成されている。背部開口部４０は、台紙体５０が折られて保持体２０に形成された際に、保持体２０の背部窓部４０となる。また、背部構成部５４は、背部上片部の、幅方向の中央、高さ方向の上端近傍、にフック用開口部５８が形成されている。背部開口部４０およびフック用開口部５８は、前部開口部３０と同様に、台紙体５０の外形が１枚のブランクシートから切削される際に、同時に切削されて形成される。背部構成部５４と前部構成部５２との接続する端縁は、台紙体第３折線５０ｆ３となっている。
【００６３】
糊しろ片５６は、背部構成部５４の高さ方向に延びる右端縁に一体的に接続する、台紙体５０を折って保持体２０を形成する際の糊しろ（固着部）を設けるための糊しろ片である。糊しろ片５６は、左端縁を背部構成部５４の右端縁の４分の３程度の長さとし、右端縁を背部構成部５４の右端縁の５分の３程度の長さとする、台形状である。糊しろ片５６と背部構成部５４との接続する端縁は、台紙体第２折線５０ｆ２となっている。糊しろ片５６の輪郭のやや内側に、長手方向を同じくして、第２固着部５６ｎが形成される。
【００６４】
図１および図１２ないし図１６を用いて、台紙体５０を折って保持体２０を形成する工程を説明する。
図１２は、本発明の第１の実施の形態に係る台紙体を折って保持体を形成する工程を示す斜視図である。図１３は、図１２の次の工程であり、台紙体を折って保持体を形成する工程を示す斜視図である。図１４は、図１３の次の状態であり、台紙体が保持体に形成される前に形成される中間平面体を示す斜視図である。図１５は、本発明の第１の実施の形態に係る中間平面体を示す正面図である。図１６は、本発明の第１の実施の形態に係る中間平面体にシュリンクフィルムが接着された状態を示す正面図である。
【００６５】
図１２に示すように、１枚のブランクシートから切削されて形成された台紙体５０は、台紙体第１折線５０ｆ１と台紙体第２折線５０ｆ２とで裏面側に折り返される。（第１の工程）
このとき、第１固着部５２ｎを上側にして、前部構成部糊しろ片５３が前部構成部５２の裏面に載置される。同様に、第２固着部５６ｎを上側にして、糊しろ片５６が背部構成部５４の裏面に載置される。
【００６６】
図１３に示すように、台紙体５０は、前部構成部５２の裏面が背部構成部５４の裏面に重ね合うようにして、台紙体第２折線５０ｆ３で折り返される。（第２の工程）
このとき、第１固着部５２ｎは、背部構成部５４の上方であって、背部開口部４０とフック用開口部５８との間に、背部構成部５４の裏面に接着する。第２固着部５６ｎは、前部構成部５２の表面から見て左端縁近傍であって前部構成部５２の裏面に接着する。
これにより、図１４および図１５に示すように、台紙体５０は、保持体２０の製造工程において、前部構成部５２と背部構成部５４とが接着して、それぞれの右端縁と左端縁とで一体化し、中間過程の製品である中間平面体６０となる。
【００６７】
図１６に示すように、中間平面体６０（台紙体５０）は、いずれか１つのフラップ片３６に設けられたシュリンクフィルム固着部３６ｂｎに、シュリンクフィルム７０が接着される。（第３の工程）
【００６８】
最後に、図１に示すように、中間平面体６０（台紙体５０）を、台紙体第４折線５０ｆ４ａ、５０ｆ４ｂで下方に向けて折り返し、同時に、台紙体第１折線５０ｆ１の折れ角を解消して（平面化して）、立体形状である保持体２０を形成する。（第４の工程）
このとき、台紙体５０の前部構成部５２は、保持体２０の前部２２となり、台紙体５０の背部構成部５４は、保持体２０の背部２４となる。また、前部構成部５２の台紙体第４折線５０ｆ４ａより上側部分と、台紙体第４折線５０ｆ４ｂより下側部分と、は、保持体２０の蓋部２６となる。
【００６９】
＜第２の実施の形態＞
以下、本発明の第２の実施の形態に係る包装容器１００について、図を参照して詳細に説明する。なお、第２の実施の形態の説明において、第１の実施の形態と重複する説明については、簡潔に説明する。
図１７は、本発明の第２の実施の形態に係る包装容器が被包装物を包装している状態の図であり、（Ａ）は平面図であり、（Ｂ）は正面図である。なお、図１７においては、シュリンクフィルム７００を省略して図示している。また、図１７は、被包装物Ｍ０が保持体２００の内側で保持されている状態から脱出しようとする状態を示す図である。
【００７０】
包装容器１００は、包装容器１０と同様に、被包装物Ｍ０を包装するための包装容器である。包装容器１００は、可撓性を有し被包装物Ｍ０を把持ないし支持する保持体２００と、熱収縮により被包装物Ｍを包むシュリンクフィルム７００と、を備える。
【００７１】
被包装物Ｍ０は、包装容器１００に包装される、主に商品である。被包装部物Ｍ０は、例えば、化粧品のクリームを充填された広口の瓶いわゆるジャー形の容器である。被包装部物Ｍ０の形状は、例えば、正面視において角が丸い略方形状であり、平面視において円形状であり、高さ６０ｍｍ、幅（直径）５８ｍｍ、厚み５８ｍｍである。被包装物Ｍ０は、輪郭部ＯＬと、輪郭中心点ＯＬＣと、を有する。輪郭部ＯＬは、保持体２００の一部に把持される部分である被把持部ＧＲを含む。すなわち、輪郭部ＯＬは、正面視において略方形状であり、平面視において帯状である。輪郭中心点ＯＬＣは、輪郭部ＯＬの正面視略方形状の中心となる点であり、対角線の交点である。
【００７２】
（保持体２００）
保持体２００は、包装容器１００の構造体であるとともに、被包装物Ｍ１をその形状に適応しながら、被包装物Ｍ０を保持体の一部によって把持ないし支持する。保持体２００は、略板状の前部２２０と、前部２２０に対応する形状を有する略板状の背部２４０と、を含み、前部２２０と背部２４０とが、対向するように配設されて、構成される。保持体２００は、前部２２０に、被包装物Ｍ０を保持体２００の内側に導入するための窓部３００が形成されている。保持体２００は、後述するように１枚の台紙体５００を折ることにより形成されている。
【００７３】
保持体２００は、台紙体５００を構成する厚紙等のシート状部材の可撓性と後述する複数のフラップ片３６０とにより、被包装物Ｍ０が窓部３００から導入されやすく、かつ、保持体２００の内側で把持された被包装物Ｍ０が窓部３００を通って保持体２００の外側に脱出しようとしても、被包装物Ｍ０が保持体２００すなわち包装容器１００から脱落することを防止することができる。
【００７４】
前部２２０は、略板状であり、平面視において前向きに凸の弓状に湾曲し、正面視において方形状に形成されている。前部２２０の外形状は、例えば、高さが１００ｍｍであり、幅が９２ｍｍであり、厚みが２１ｍｍである。さらに、前部２２０は、その中央付近に、窓部３００が形成されている。前部２２０の幅方向の中心であって、窓部３００と上端縁との間に、フック用開口部５８０ａが形成されている。
【００７５】
背部２４０は、前部２２０に対応する形状を有する略板状である。さらに、背部２４０は、その中央付近に、被包装物Ｍ０の輪郭部ＯＬの形状に対応する形状であるもののそれよりも若干小形の形状である背部窓部４００が形成されている。背部２４０の幅方向の中心であって、背部窓部４００と上端縁との間に、かつ、前部２２０のフック用開口部５８０ａと対応する位置に、フック用開口部５８０ｂが形成されている。
【００７６】
（窓部３００）
窓部３００は、前部２２０の中央付近に形成された、包装容器１００すなわち保持体２００の内側に被包装物Ｍ０を導入するための開口である。窓部３００は、被包装物Ｍ０の輪郭部ＯＬと略同一形状の枠３２０と、枠３２０の中心点となる窓部中心点３００ｃと、を有する。すなわち、枠３２０は、被包装物Ｍ０の輪郭部ＯＬの正面視形状である略方形状と略同一形状である略方形状である。窓部中心点３００ｃは、枠３２０の略方形状の中心となる点であり、対角線の交点である。すなわち、窓部中心点３００ｃは、枠３２０の幅方向の中心にある。窓部３００は、被包装物Ｍ０の被把持部ＧＲを把持する複数のフラップ片３６０が、窓部３００の枠３２０に位置する保持体２００の複数の部位に設けられている。
【００７７】
枠３２０は、被包装物Ｍ０の輪郭部ＯＬの略方形状に対応して形成されているが、幅は、被包装物Ｍ０の幅よりも若干長く、例えば、６０ｍｍである。枠３２０は、対向する２つの直線部分３２０Ｉを有する。２つの直線部分３２０Ｉは、枠３２０の左端縁と右端縁とをそれぞれ構成する。
【００７８】
（フラップ片３６０）
複数のフラップ片３６０はそれぞれ、保持体２００の内側に向かって折れ曲がることを可能とするための平行な第１折線３６０ｆ１および第２折線３６０ｆ２と、第１折線３６０ｆ１を介して窓部３００の枠３２０の保持体２００の部位に接続し第１折線３６０ｆ１と第２折線３６０ｆ２との間に位置するフラップ片支持部３６０ｓと、フラップ片支持部３６０ｓに第２折線３６０ｆ２を介して接続し第２折線３６０ｆ２から窓部中心点３００ｃ側に向いて延びるフラップ片本体部３６０ｂと、を有する。
【００７９】
フラップ片支持部３６０ｓは、高さ方向に伸びる第１折線および第２折線を上底および下底とし脚が外向きに丸く湾曲する略台形状である。フラップ片支持部３６０ｓは、窓部３００の枠３２０の直線部分３２０Ｉに位置する保持体２００の部位に第１折線３６０ｆ１を介して一体的に接続する。したがって、複数のフラップ片３６０は、窓部３００の枠３２０の直線部分３２０Ｉが２つであることから、２つのフラップ片３６０である。
フラップ片支持部３６０ｓの展開する方向の両側（上側および下側）の曲線は、枠３２０の輪郭に沿うように形成され配置される。フラップ片支持部３６０ｓの窓部中心点３００ｃ側の端縁すなわち第２折線３６０ｆ２と、窓部中心点３００ｃと、の間の長さが、被把持部ＧＲと輪郭中心点ＯＬＣとの間の長さに比べて、短いように、フラップ片支持部３６０ｓは、その展開する方向の長さを有する。フラップ片支持部３６０ｓの長さは、例えば、３ｍｍである。
【００８０】
フラップ片本体部３６０ｂは、第１の実施の形態におけるフラップ片３６ｂよりも台形状に近い形状であり、第２折線およびその対向する対辺（フラップ片３６０の先端縁）とを上底および下底とし脚が外向きに丸く湾曲する略台形状である。フラップ片本体部３６０ｂは、フラップ片支持部３６０ｓに第２折線３６０ｆ２を介して一体的に接続する。
これにより、複数のフラップ片３６０は、枠３２０の左端縁と右端縁とからそれぞれ、窓部中心点３００ｃに向かって展開している状態となる。
そして、フラップ片本体部３６０ｂの展開する方向の両側（上側および下側）の曲線は、枠３２０の輪郭に沿うように形成され配置される。フラップ片本体部３６０ｂの展開する方向（窓部中心点３００ｃ方向）への長さは、略方形状の枠３２０の幅の２分の１よりも小さい。フラップ片本体部３６０ｂの長さは、例えば、２０ｍｍである。フラップ片支持部３６０ｓおよびフラップ片本体部３６０ｂが、展開する方向の両側が枠３２０の輪郭に沿う位置に配置されることにより、フラップ片３６０は、窓部３００の枠３２０に、正面視において収まることができる。
フラップ片本体部３６０ｂは、フラップ片本体部３６０ｂの正面視における輪郭のやや内側に、フラップ片本体部３６０ｂの形状と略同一形状のシュリンクフィルム固着部３６０ｂｎが形成される。
【００８１】
第１折線３６０ｆ１は、被包装物Ｍ０の幅（２×ＬGR）よりも長い幅をもつ窓部３００の枠３２０の直線部分３２０Ｉに位置していることから、それぞれのフラップ片３６０の第１折線３６０ｆ１と窓部中心点３００ｃとの間の長さ（Ｌ1）は、当該フラップ片３６０に把持される被把持部ＧＲと輪郭中心点ＯＬＣとの間の長さ（ＬGR）に比べて、等しいか長い。すなわち、Ｌ1≧ＬGRである。
さらに、第２折線３６０ｆ２と窓部中心点３００ｃとの間の長さ（Ｌ2）が、被把持部ＧＲと輪郭中心点ＯＬＣとの間の長さ（ＬGR）に比べて、短いように、フラップ片支持部３６０ｓは、その展開する方向の長さを有する。すなわち、ＬGR＞Ｌ2である。
【００８２】
（蓋部２６０）
保持体２００は、保持体２００の天部近傍であって、背部窓部４００の上端縁に位置する保持体２００の部位である背部２４０に接続して保持体２００の天部の開口を塞ぐ蓋部２６０を有する。詳細には、蓋部２６０は、例えば、円形状であり、その半径は２１ｍｍである。蓋部２６０は、背部窓部４００の上端縁と蓋部折線２６０ｆを介して一体的に接続する。蓋部２６０は、その外周縁として背部２４よりも若干後ろ側に位置する蓋部周縁２６０ｃを有する。
【００８３】
（シュリンクフィルム７００）
シュリンクフィルム７００は、いずれか１つのフラップ片３６０のフラップ片本体部３６０ｂのシュリンクフィルム固着部３６０ｂｎに接着される。熱収縮する前のシュリンクフィルム７００は、高さが枠３２０の高さよりも若干大きく、平面視における筒状の円周は被包装物Ｍ０の被包装状態における幅および厚み方向の外周長さと同一か若干大きい。
【００８４】
次に、第２の実施の形態に係る包装容器１００に被包装物Ｍ０を導入する過程は、第１の実施の形態に係る包装容器１０に被包装物Ｍを導入する過程と同じであり、第１の過程ないし第４の過程である。
さらに、第２の実施の形態に係る包装容器１００が被包装物Ｍ０を把持ないし支持する作用は、第１の実施の形態に係る包装容器１０が被包装物Ｍを把持ないし支持する作用と同じである。すなわち、被包装物Ｍ０は、上記の第４の過程により、複数のフラップ片３６０に把持された状態となる。さらに、被包装物Ｍ０は、いずれか１つのフラップ片３６０に接着され保持体に連結されたシュリンクフィルム７００によって、保持体２００に支持された状態となる。
【００８５】
（包装容器１００の効果）
したがって、包装容器１００によれば、保持体２００の内側に導入された被包装物Ｍ０は、複数点で、すなわち複数方向からフラップ片３６０に把持された状態となり、厚紙等の素材で形成されているフラップ片３６０の摩擦力とも相まって、保持体２００の内側で保持された状態となる。そして、保持体２００に複数方向から保持された被包装物Ｍ０は、回転することがない。
さらに、包装容器１００によれば、被包装物Ｍ０は、シュリンクフィルム７００に包まれ、そのシュリンクフィルム７００がいずれか１つのフラップ片３６０のフラップ片本体部３６０ｂに接着されているので、シュリンクフィルム７００と当該フラップ片３６０とを介して、保持体２００に連結されて支持される。
加えて、包装容器１００によれば、保持体２００の内側に導入された被包装物Ｍ０は、前部２２０の窓部３００と背部２４０の背部窓部４００とから保持体２００の外側に見えるように露出した状態で保持体２００に保持されているので、販売店の店頭又は店内での販売展示効果が高い状態で包装されることができる。
加えて、包装容器１００によれば、蓋部２６０が背部窓部４００の上端縁と蓋部折線２６０ｆを介して一体的に接続するので、被包装物Ｍ０は、保持体２００の天部の開口から進入してきた埃等で汚損されることがない。
【００８６】
続いて、第２の実施の形態に係る包装容器１００に被包装物Ｍ０を導入しやすく且つ導入されて保持された被包装物Ｍ０が脱落しにくい作用効果は、第１の実施の形態に係る包装容器１０に被包装物Ｍを導入しやすく且つ導入されて保持された被包装物Ｍが脱落しにくい作用効果と同じである。
【００８７】
（台紙体５００と包装容器１００の組み立て）
図１８および図１９に示すように、台紙体５００は、厚紙等の可撓性を有するシート状部材からなる１枚のブランクシート（図示しない）から切削されて形成される。台紙体５００は、保持体２００に形成された際に前部２２０を構成する前部構成部５２０と、保持体２００に形成された際に背部２４０を構成し前部構成部５２０と折り曲げ可能に接続して並列する背部構成部５４０と、背部構成部５４０と折り曲げ可能に接続して並列する糊しろ片５６０と、を有する。
【００８８】
前部構成部５２０は、方形状である。前部構成部５２０は、台紙体５００が折られて保持体２００に形成された際に、保持体２００の窓部３００となる開口部３００が形成されている。開口部３００は、複数のフラップ片３６０を有する。また、前部構成部５２０は、上端縁近傍であって、上端縁と開口部３００との間にフック用開口部５８０ａが形成されている。台紙体５００の開口部３００、複数のフラップ片３６０およびフック用開口部５８０ａは、台紙体５００の外形が１枚のブランクシートから切削される際に、同時に切削されて形成される。
【００８９】
背部構成部５４０は、前部構成部５２０の外形状と同一の方形状である。背部構成部５４０は、前部構成部５２０の開口部３００と対応する位置に、背部開口部４００が形成されている。背部開口部４００は、台紙体５００が折られて保持体２００に形成された際に、保持体２００の背部窓部４００となる。さらに、前部構成部５２０の背部開口部４００の上端縁に、蓋部折線２６０ｆを介して蓋部２６０が、背部開口部４００の内側に収まるように形成されている。また、背部構成部５４０は、上端縁近傍であって、上端縁と背部開口部４００との間にフック用開口部５８０ｂが形成されている。背部開口部４００、フック用開口部５８０ｂおよび蓋部２６０は、台紙体５００の外形が１枚のブランクシートから切削される際に、同時に切削されて形成される。背部構成部５４０と前部構成部５２０との接続する端縁は、台紙体第２折線５０ｆ２となっている。
【００９０】
糊しろ片５６０は、背部構成部５４０の高さ方向に延びる右端縁に一体的に接続している。糊しろ片５６０は、背部構成部５４０の右端縁を下底とし脚が外向きに丸く形成された略台形状である。糊しろ片５６０と背部構成部５４０との接続する端縁は、台紙体第１折線５００ｆ１となっている。糊しろ片５６０の輪郭のやや内側に、長手方向を同じくして、固着部５６０ｎが形成される。
【００９１】
図１８、図１９および図２０を用いて、台紙体５０を折って保持体２０を形成する工程を説明する。
図１８は、本発明の第２の実施の形態に係る保持体に形成される前の台紙体の表面を示す平面図である。図１９は、本発明の第２の実施の形態に係る保持体に形成される前の台紙体の裏面を示す平面図である。図２０は、本発明の第２の実施の形態に係る台紙体が保持体に形成される前に形成される中間平面体およびシュリンクフィルムを示す斜視図である。
【００９２】
１枚のブランクシートから切削されて形成された図１８および図１９の台紙体５００は、台紙体第１折線５０ｆ１で裏面側に折り返される。（第１の工程）
このとき、固着部５６０ｎを上側にして、糊しろ片５６０が背部構成部５４０の裏面に載置される。
【００９３】
糊しろ片５６０が背部構成部５４０の裏面に載置された台紙体５００は、前部構成部５２０の裏面が背部構成部５４０の裏面に重ね合うようにして、台紙体第２折線５０ｆ２で折り返される。（第２の工程）
このとき、固着部５６ｎは、前部構成部５２の表面から見て左端縁近傍であって前部構成部５２の裏面に接着する。
これにより、図２０に示すように、台紙体５００は、保持体２００の製造工程において、前部構成部５２０と背部構成部５４０とが接着して、それぞれの右端縁と左端縁とで一体化し、中間過程の製品である中間平面体６０となる。
【００９４】
図２０に示すように、中間平面体６０（台紙体５０）は、いずれか１つのフラップ片３６に設けられたシュリンクフィルム固着部３６ｂｎに、シュリンクフィルム７０が接着される。（第３の工程）
【００９５】
最後に、図１７に示すように、中間平面体６０（台紙体５０）を、両側端縁を中間平面体６０の内側向きに（右端縁を左向きに且つ左端縁を右向きに）押し込み、同時に、蓋部２６０の蓋部折線２６０ｆを折り返して蓋部２６０を水平にして、立体形状である保持体２００を形成する。（第４の工程）
このとき、台紙体５００の前部構成部５２０は、保持体２００の前部２２０となり、台紙体５００の背部構成部５４０は、保持体２００の背部２４０となる。また、台紙体５００の背部開口部４００の中に収まるように形成されていた蓋部２６０は、保持体２００の蓋部２６０となる。
【００９６】
＜第３の実施の形態＞
以下、本発明の第３の実施の形態に係る包装容器１０１について、図を参照して詳細に説明する。なお、第３の実施の形態の説明において、第１の実施の形態または第２の実施の形態と異なる部分についてのみ説明する。
図２１は、本発明の第３の実施の形態に係る包装容器が被包装物を包装している状態の斜視図である。図２２は、本発明の第３の実施の形態に係る包装容器の横断面図である。図２３は、本発明の第３の実施の形態に係る保持体に形成される前の台紙体の表面を示す平面図である。図２４は、本発明の第３の実施の形態に係る保持体に形成される前の台紙体の裏面を示す平面図である。図２５は、本発明の第３の実施の形態に係る台紙体を折って保持体を形成する工程を示す斜視図である。図２６は、図２５の次の工程であり、台紙体を折って保持体を形成する工程を示す斜視図である。図２７は、図２６の次の状態を示す図であり、本発明の第３の実施の形態に係る台紙体が保持体に形成される前に形成される中間平面体およびシュリンクフィルムを示す斜視図である。なお、図２７においては、シュリンクフィルム７００を省略して図示している。
【００９７】
（包装容器１０１の構造）
図２１および図２２に示すとおり、複数のフラップ片３６１は、窓部３０１の枠３２１または枠３２１近傍の保持体２０１の部位に第１折線３６１ｆ１を介して接続している。
詳細には、右側のフラップ片３６１は、窓部３０１の枠３２１の直線部分３２１Ｉに接続する。一方、左側のフラップ片３６１は、窓部３０１の枠３２１の直線部分３２１Ｉよりも若干左後部側にある保持体２０１の部位に接続する。後述するように、保持体２０１の前部２２１の左側の部位は、台紙体５０１の前部構成部５２１と糊しろ片５６１とにより構成されており、糊しろ片５６１の端縁に相当する位置に、左側のフラップ片３６１が接続している。また、フラップ片３６１の窓部中心点３０１ｃに展開する方向への長さは、窓部３０１の枠３２１の幅の長さの２分の１よりも大きく、例えば４分の３の長さである。したがって、包装容器１０１が被包装物Ｍ１を包装していない状態において、左側のフラップ片３６１と右側のフラップ片３６１とは、正面視において窓部中心点３０１ｃ近傍で重なり合っている状態となる。
【００９８】
（包装容器１０１に被包装物Ｍ１を導入する過程）
第３の過程において、シュリンクフィルム７０１に装填され熱収縮されて包まれた被包装物Ｍ１は、そのシュリンクフィルム７０１が接着されている右側のフラップ片３６１とともに、保持体２２１の内側に進入する。
そして、右側のフラップ片３６１のフラップ片本体部３６１ｂの背面に、左側のフラップ片３６１のフラップ片本体部３６１ｂの前面が押圧されて、左側のフラップ片３６１は、保持体２０１の内側に進入する。
【００９９】
第３の実施の形態に係る包装容器１０１が被包装物Ｍ１を把持ないし支持する作用は、第１の実施の形態に係る包装容器１０が被包装物Ｍを把持ないし支持する作用と同じである。
第３の実施の形態に係る包装容器１０１の効果は、第１の実施の形態に係る包装容器１０の効果と同じである。
第３の実施の形態に係る包装容器１０１に被包装物Ｍ１を導入しやすく且つ導入されて保持された被包装物Ｍ１が脱落しにくい作用効果は、第１の実施の形態に係る包装容器１０に被包装物Ｍを導入しやすく且つ導入されて保持された被包装物Ｍが脱落しにくい作用効果と同じである。
【０１００】
（台紙体５０１と包装容器１０１の組み立て）
図２３および図２４に示すように、台紙体５０１は、保持体２０１に形成された際に前部２２１を構成する前部構成部５２１と、保持体２０１に形成された際に背部２４１を構成し前部構成部５２１と折り曲げ可能に接続して並列する背部構成部５４１と、背部構成部５４１と折り曲げ可能に接続して並列する糊しろ片５６１と、糊しろ片５６１と折り曲げ可能に第１折線３６１ｆ１を介して接続して並列する１つ以上のフラップ片３６１と、を有する。
【０１０１】
２つのフラップ片３６１のうちの１つは、開口部３０１の枠３２１の正面視右側の直線部分３２１Ｉに第１折線３６１ｆ１を介して接続し、他の１つは、糊しろ片５６１の正面視右側端縁に第１折線３６１ｆ１を介して接続する。
これにより、開口部３０１の幅がフラップ片３６１の幅に比して十分に広くない場合においても、台紙体５０１に複数のフラップ片３６１を設けることができる。
【０１０２】
図２５、図２６および図２７を用いて、台紙体５０１を折って保持体２０１を形成する工程を説明する。
【０１０３】
図２５に示すように、１枚のブランクシートから切削されて形成された台紙体５０１は、台紙体第１折線５０１ｆ１と台紙体第２折線５０１ｆ２とで裏面側に折り返される。（第１の工程）
このとき、第１固着部５２１ｎを上側にして、前部構成部糊しろ片５３１が前部構成部５２１の裏面に載置される。同様に、第２固着部５６１ｎを上側にして、糊しろ片５６１が背部構成部５４１の裏面に載置される。さらに、糊しろ片５６１に接続するフラップ片３６１は、背部開口部４０１に覆い被さるようにして、背部構成部５４１の裏面に載置される。
【０１０４】
図２６に示すように、台紙体５０１は、前部構成部５２１の裏面が背部構成部５４１の裏面に重ね合うようにして、台紙体第２折線５０１ｆ３で折り返される。（第２の工程）
このとき、第１固着部５２１ｎは、背部構成部５４１の上方であって、背部開口部４０１とフック用開口部５８１との間に、背部構成部５４１の裏面に接着する。第２固着部５６１ｎは、前部構成部５２１の表面から見て左端縁近傍であって前部構成部５２１の裏面に接着する。
これにより、図２７に示すように、台紙体５０１は、保持体２０１の製造工程において、前部構成部５２１と背部構成部５４１とが接着して、それぞれの右端縁と左端縁とで一体化し、中間過程の製品である中間平面体６０１となる。
また、糊しろ片５６１に接続するフラップ片３６１は、第２の工程によって、前部構成部５２１の開口部３０１の枠３２１近傍に第１折線３６１ｆ１が配置される。
【０１０５】
第３の工程および第４の工程は、第１の実施の形態に係る包装容器１０の組み立ての工程と同じである。
第４の工程によって、図２１および図２２に示すように、台紙体５０１（中間平面体６０１）は、保持体２０１となる。
そして、第４の工程によって、糊しろ片５６１に接続するフラップ片３６１は、前部２２１の左側において窓部３０１の枠３２１近傍の若干左後部側に位置することとなる糊しろ片５６１から窓部中心点３０１ｃに向かって展開することとなる。
【０１０６】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【０１０７】
例えば、窓部３０は、背部２４に形成されていてもよい。
また、例えば、窓部中心点３０Ｃは、枠３２の形状が円形状であればその中心であるが、枠３２の形状が方形状であればその対角線の交点であってもよく、また、枠３２の形状が任意の形状である場合には、その形状を等重の平面とした場合の重心の点又はその近傍の点であってもよい。
また、例えば、保持体２０は、底部側に向かうにつれて、厚みが増すように形成されていてもよい。これにより、フラップ片３６特にフラップ片本体部３６ｂの展開する方向への長さをより長くしても、第１折線３６ｆ１および第２折線３６ｆ２の折れ曲がり時において、前部２２又は背部２４への接触を防止することができる。
また、例えば、糊しろ片５６は、前部構成部５２と折り曲げ可能に接続して並列するように、台紙体５０に設けられていてもよい。
また、例えば、台紙体５０すなわち保持体２０を構成する部材は、厚紙に限定されず、可撓性を有するシート状部材であればよく、ポリエチレンテレフタレート（ＰＥＴ）、ポリスチレン（ＰＳ、ＯＰＳ）、ポリ塩化ビニル（ＰＶＣ）、ポリプロピレン（ＰＰ）、ポリオレフィン系（ＰＥ/ＰＰ）などの熱可塑性樹脂であってもよい。熱可塑性樹脂である場合、シュリンクフィルム７０の熱収縮温度よりも高い温度で熱性変形する部材であることが好ましい。
また、例えば、台紙体５０のブランクシートからの切削方法としては、トムソン加工であってもよく、第１折線３６ｆ１、第２折線３６ｆ２、台紙体第１折線５０ｆ１、台紙体第２折線５０ｆ２、台紙体第３折線５０ｆ３または台紙体第４折線５０ｆ４は、トムソン加工時の押圧によって形成されてもよい。
また、例えば、台紙体５０すなわち保持体２０を構成する部材が熱可塑性樹脂である場合に、第１折線３６ｆ１、第２折線３６ｆ２、台紙体第１折線５０ｆ１、台紙体第２折線５０ｆ２、台紙体第３折線５０ｆ３または台紙体第４折線５０ｆ４は、薄肉、ハーフカットまたは凹条に形成されて構成されてもよい。
【符号の説明】
【０１０８】
１０、１００、１０１  包装容器
２０、２００、２０１  保持体
２２、２２０、２２１  前部
２４、２４０、２４１  背部
２４ｐ、２４１ｐ  背部上片部
２６、２６０、２６１  蓋部
３０、３００、３０１  窓部（開口部）
３０ｃ、３００ｃ、３０１ｃ  窓部中心点
３２、３２０、３２１  枠
３４  切欠部
３６、３６０、３６１  フラップ片
３６ｆ１、３６０ｆ１、３６１ｆ１  第１折線
３６ｆ２、３６０ｆ２、３６１ｆ２  第２折線
３６ｓ、３６０ｓ、３６１ｓ    フラップ片支持部
３６ｂ、３６０ｂ、３６１ｂ    フラップ片本体部
３６ｂｎ、３６０ｂｎ、３６１ｂｎ  シュリンクフィルム固着部
４０、４００、４０１  背部窓部（背部開口部）
５０、５００、５０１  台紙体
５０ｆ１、５００ｆ１、５０１ｆ１  台紙体第１折線
５０ｆ２、５００ｆ２、５０１ｆ２  台紙体第２折線
５０ｆ３、５０１ｆ３  台紙体第３折線
５０ｆ４ａ、５０ｆ４ｂ、５０１ｆ４ａ、５０１ｆ４ｂ  台紙体第４折線
５２、５２０、５２１  前部構成部
５２ｎ、５２１ｎ  第１固着部
５３、５３１  前部構成部糊しろ片
５４、５４０、５４１  背部構成部
５６、５６０、５６１  糊しろ片
５６ｎ、５６１ｎ  第２固着部
５６０ｎ  固着部
５８、５８０ａ、５８０ｂ、５８１  フック用開口部
６０、６００、６０１  中間平面体
７０、７００、７０１  シュリンクフィルム
Ｍ、Ｍ０、Ｍ１    被包装物
ＯＬ  輪郭部
ＯＬＣ  輪郭中心点
ＧＲ  被把持部
【図１】
2019077478.tif 000003
【図２】
2019077478.tif 000004
【図３】
2019077478.tif 000005
【図４】
2019077478.tif 000006
【図５】
2019077478.tif 000007
【図６】
2019077478.tif 000008
【図７】
2019077478.tif 000009
【図８】
2019077478.tif 000010
【図９】
2019077478.tif 000011
【図１０】
2019077478.tif 000012
【図１１】
2019077478.tif 000013
【図１２】
2019077478.tif 000014
【図１３】
2019077478.tif 000015
【図１４】
2019077478.tif 000016
【図１５】
2019077478.tif 000017
【図１６】
2019077478.tif 000018
【図１７】
2019077478.tif 000019
【図１８】
2019077478.tif 000020
【図１９】
2019077478.tif 000021
【図２０】
2019077478.tif 000022
【図２１】
2019077478.tif 000023
【図２２】
2019077478.tif 000024
【図２３】
2019077478.tif 000025
【図２４】
2019077478.tif 000026
【図２５】
2019077478.tif 000027
【図２６】
2019077478.tif 000028
【図２７】
2019077478.tif 000029